(57)【要約】  本発明は、アンギュラ玉軸受けであって、該アンギュラ玉軸受けが、外輪と、内輪と、複数の玉とを有しており、該玉が、外輪と内輪との間に設けられた保持器内に軸受け軸線を中心として回転可能に配置されており、保持器が、外輪の保持器ガイド面によってガイドされるようになっており、前記アンギュラ玉軸受けが、３０゜以下の呼び接触角を有しているアンギュラ玉軸受けに関する。本発明の課題は、このようなアンギュラ玉軸受けを改良して、保持器と外輪との間の摩擦を減少させて、玉を引き続き確実にガイドする、簡単にかつ廉価に製造することができるアンギュラ玉軸受けを提供することである。この課題を解決するために、本発明に係るアンギュラ玉軸受けによれば、軸受け軸線を含む断面図で見て、所定の円弧が、外輪の軌道の、軸受け軸線から最も離れた点から、前記軌道に沿って、保持器ガイド面寄りの軌道端部の方向へ、前記円弧と、保持器ガイド面によって設定された直線との交点にまで延びていて、６０゜以上の中心角を有している。
2013508633.tif 000002
【特許請求の範囲】
【請求項１】
アンギュラ玉軸受けであって、該アンギュラ玉軸受けが、外輪（４）と、内輪（２）と、複数の玉（６）とを有しており、該玉（６）が、外輪（４）と内輪（２）との間に設けられた保持器（１０）内に軸受け軸線（７）を中心として回転可能に配置されており、保持器（１０）が、外輪（４）の保持器ガイド面（９）によってガイドされるようになっており、前記アンギュラ玉軸受けが、３０゜以下の呼び接触角（α）を有しているアンギュラ玉軸受けにおいて、軸受け軸線（７）を含む断面図で見て、所定の円弧が、外輪（４）の軌道の、軸受け軸線（７）から最も離れた点（Ａ）から、前記軌道に沿って、保持器ガイド面（９）寄りの軌道端部の方向へ、前記円弧と、保持器ガイド面（９）によって設定された直線（１７）との交点（Ｂ）にまで延びていて、６０゜以上の中心角（β）を有していることを特徴とする、アンギュラ玉軸受け。
【請求項２】
内輪（２）が、軸受け軸線（７）に対して垂直に延びる平面（１３）に対して鏡像対称的である２つの肩部（１８，１９）を有している、請求項１記載のアンギュラ玉軸受け。
【請求項３】
保持器ガイド面（９）が、軸受け軸線（７）を中心として同心的に配置された円柱を形成している、請求項１または２記載のアンギュラ玉軸受け。
【請求項４】
保持器（１０）が、軸受け軸線（７）に対して垂直に延びる平面（１３）に対して鏡像対称的である、請求項１から３までのいずれか１項記載のアンギュラ玉軸受け。
【請求項５】
保持器（１０）が、２つの環状エレメント（１４，１５）と、両環状エレメント（１４，１５）を結合する横方向ウェブ（１６）とを有しており、該横方向ウェブ（１６）が、半径方向内側でかつ／または半径方向外側で環状エレメント（１４，１５）と同一平面を成して終わっている、請求項１から４までのいずれか１項記載のアンギュラ玉軸受け。
【請求項６】
保持器（１０）が、２つの環状エレメント（１４，１５）と、両環状エレメント（１４，１５）を結合する横方向ウェブ（１６）とを有しており、保持器（１０）が、一方の環状エレメント（１５）の、半径方向外側に向けられた表面（１１）を介して外輪（４）の保持器ガイド面（９）によってガイドされるようになっている、請求項１から５までのいずれか１項記載のアンギュラ玉軸受け。
【請求項７】
中心角（β）が、６０゜〜７０゜に設定されている、請求項１から６までのいずれか１項記載のアンギュラ玉軸受け。
【請求項８】
中心角（β）が、６３゜〜６７゜に設定されている、請求項７記載のアンギュラ玉軸受け。
【請求項９】
呼び接触角（α）が、１５゜〜２５゜に設定されている、請求項１から８までのいずれか１項記載のアンギュラ玉軸受け。
【請求項１０】
前記断面図で見て、軌道（５）が、保持器ガイド面（９）との交点（Ｂ）を有している、請求項１から９までのいずれか１項記載のアンギュラ玉軸受け。
【請求項１１】
前記断面図で見て、軌道（５）と保持器ガイド面（９）との間に段付け部もしくは段部が加工されている、請求項１から９までのいずれか１項記載のアンギュラ玉軸受け。
【請求項１２】
外輪（４）が、一体に形成されている、請求項１から１１までのいずれか１項記載のアンギュラ玉軸受け。
【請求項１３】
内輪（２）と外輪（４）とが、軸方向への同じ量の延在長さを有している、請求項１から１２までのいずれか１項記載のアンギュラ玉軸受け。
【請求項１４】
前記アンギュラ玉軸受けが、軸方向の一方の端部または両方の端部でシールされている、請求項１から１３までのいずれか１項記載のアンギュラ玉軸受け。
【請求項１５】
前記アンギュラ玉軸受けが、主軸軸受けである、請求項１から１４までのいずれか１項記載のアンギュラ玉軸受け。
【発明の詳細な説明】
【技術分野】
【０００１】
本発明は、アンギュラ玉軸受けであって、該アンギュラ玉軸受けが、外輪と、内輪と、複数の玉とを有しており、該玉が、外輪と内輪との間に設けられた保持器内に軸受け軸線を中心として回転可能に配置されており、保持器が、外輪の保持器ガイド面によってガイドされるようになっており、前記アンギュラ玉軸受けが、３０゜以下の呼び接触角を有しているアンギュラ玉軸受けに関する。
【０００２】
このようなアンギュラ玉軸受けは、たとえば主軸軸受けとして工作機械に使用される。アンギュラ玉軸受けは、しばしば、たとえば１５０００ｒ．ｐ．ｍ．を上回る高い回転数に対して設計されている。まさに、この高速回転用の転がり軸受けでは、保持器が転動体ガイドされずに、軸受け軌道輪の肩部もしくは縁部、一般的には保持器ガイド面に対してガイドされることが有利であると判った。このような保持器は、いわゆる「縁部ガイド式の保持器」である。こうして、保持器ポケット内での転動体の摩擦に関する問題が回避される。なぜならば、保持器ポケット内での転動体の遊びを十分に大きく選択することができるからである。
【０００３】
図１には、冒頭で述べたようなアンギュラ玉軸受けが示してある。このアンギュラ玉軸受け１は、内輪軌道３を備えた内輪２と、外輪軌道５を備えた外輪４と、内輪軌道３および外輪軌道５に対して軸受け軸線７を中心として転動する、保持器１０によって案内された複数の玉６とを有している。外輪４は縁部８を有している。この縁部８は保持器ガイド面９を備えている。この保持器ガイド面９は、保持器１０の一方の環状エレメントの、半径方向外側に向けられた表面１１に向かい合って位置している。保持器１０はその表面１１と外輪４の保持器ガイド面９とによってガイドされる。公知の例では、呼び接触角αが２５゜に設定されている。「呼び接触角」とは、荷重が加えられていない軸受け、すなわち、玉が軌道に応力なしで接触している軸受けにおいて、作用線がラジアル平面と成す角度を意味している。
【０００４】
運転の間、保持器１０の表面１１と外輪４の保持器ガイド面９との間に著しく摩擦が生じることが判った。この摩擦は、特に軸受け回転数が増加するにつれて影響力を増していく。
【０００５】
発明の課題
本発明の課題は、冒頭で述べたアンギュラ玉軸受けを改良して、保持器と外輪との間の摩擦を減少させて、玉を引き続き確実にガイドする、簡単にかつ廉価に製造することができるアンギュラ玉軸受けを提供することである。
【０００６】
発明の要約
この課題を解決するために本発明に係るアンギュラ玉軸受けによれば、軸受け軸線を含む断面図で見て、所定の円弧が、外輪の軌道の、軸受け軸線から最も離れた点から、前記軌道に沿って、保持器ガイド面寄りの軌道端部の方向へ、前記円弧と、保持器ガイド面によって設定された直線との交点にまで延びていて、６０゜以上の中心角を有している。
【０００７】
本発明に係るアンギュラ玉軸受けの有利な態様によれば、内輪が、軸受け軸線に対して垂直に延びる平面に対して鏡像対称的である２つの肩部を有している。
【０００８】
本発明に係るアンギュラ玉軸受けの有利な態様によれば、保持器ガイド面が、軸受け軸線を中心として同心的に配置された円柱を形成している。
【０００９】
本発明に係るアンギュラ玉軸受けの有利な態様によれば、保持器が、軸受け軸線に対して垂直に延びる平面に対して鏡像対称的である。
【００１０】
本発明に係るアンギュラ玉軸受けの有利な態様によれば、保持器が、２つの環状エレメントと、両環状エレメントを結合する横方向ウェブとを有しており、該横方向ウェブが、半径方向内側でかつ／または半径方向外側で環状エレメントと同一平面を成して終わっている。
【００１１】
本発明に係るアンギュラ玉軸受けの有利な態様によれば、保持器が、２つの環状エレメントと、両環状エレメントを結合する横方向ウェブとを有しており、保持器が、一方の環状エレメントの、半径方向外側に向けられた表面を介して外輪の保持器ガイド面によってガイドされるようになっている。
【００１２】
本発明に係るアンギュラ玉軸受けの有利な態様によれば、中心角が、６０゜〜７０゜に設定されている。
【００１３】
本発明に係るアンギュラ玉軸受けの有利な態様によれば、中心角が、６３゜〜６７゜に設定されている。
【００１４】
本発明に係るアンギュラ玉軸受けの有利な態様によれば、呼び接触角が、１５゜〜２５゜に設定されている。
【００１５】
本発明に係るアンギュラ玉軸受けの有利な態様によれば、前記断面図で見て、軌道が、保持器ガイド面との交点を有している。
【００１６】
本発明に係るアンギュラ玉軸受けの有利な態様によれば、前記断面図で見て、軌道と保持器ガイド面との間に段付け部もしくは段部が加工されている。
【００１７】
本発明に係るアンギュラ玉軸受けの有利な態様によれば、外輪が、一体に形成されている。
【００１８】
本発明に係るアンギュラ玉軸受けの有利な態様によれば、内輪と外輪とが、軸方向への同じ量の延在長さを有している。
【００１９】
本発明に係るアンギュラ玉軸受けの有利な態様によれば、前記アンギュラ玉軸受けが、軸方向の一方の端部または両方の端部でシールされている。
【００２０】
本発明に係るアンギュラ玉軸受けの有利な態様によれば、前記アンギュラ玉軸受けが、主軸軸受けである。
【００２１】
本発明の思想は、保持器と外輪との間の摩擦の減少を保持器質量の減少によって達成することである。この保持器質量は、特に回転数が極めて高い場合の遠心力によって摩擦に著しい影響を与えることが認められている。なぜならば、保持器と外輪との間の接触力が回転数と共に著しく増加するからである。
【００２２】
本発明における解決手段は、外輪の保持器ガイド面が軸受け軸線の方向により十分にずらされることによって、保持器質量ひいては摩擦を著しく減少させることができることにある。基本的には、公知先行技術（たとえば図１参照）における保持器に比べて著しく小さな外径を有する保持器によって、すでに保持器の機能を果たすことができることが利用される。保持器の機能のためには、つまり、玉の離間を達成するためには、保持器が、ピッチ円の両側への比較的少ない半径方向の延在長さを有していれば十分である。本発明によれば、保持器の半径方向の延在長さが、専ら保持器の機能の必要性、すなわち、玉の離間の必要性によって規定されるまで、外輪の保持器ガイド面が軸受け軸線に向かって半径方向内向きにずらされるようになっている。
【００２３】
どのようにして外輪の保持器ガイド面が軸受け軸線に向かって半径方向にずらされるのかは、本発明の主要な思想を実現するために重要ではない。以下に記載するように、特に軌道の延長を含めた縁部の増加も、縁部に形成された、保持器ガイド面を有する別個の半径方向突出部も可能である。このような半径方向突出部は、一体の縁部の一部もしくは外輪の一部であってもよいし、外輪の縁部に被せ嵌められる別個の環状エレメントによって形成されてもよい。
【００２４】
本発明によれば、保持器ガイド面の半径方向のずれは、所定の円弧、つまり、軌道の、軸受け軸線から最も離れた点で始まって、軌道に沿って、保持器ガイド面寄りの軌道端部の方向に延びて、当該円弧と、保持器ガイド面を通って延びる直線との交点で終わる円弧が、特定の中心角を上回るように規定される。中心角とは、幾何学において一般的であるように、１つの円弧の２つの端点が円弧の中心点と成す角度を定義している。本発明における円弧の中心角が大きければ大きいほど、保持器ガイド面はますます半径方向内向きに、すなわち、軸受け軸線に向かってずらされる。特に本発明によれば、中心角が６０゜以上の値をとるようになっている。この値以降、１つには、摩擦の著しい減少が達成され、もう１つには、保持器が引き続き半径方向でピッチ円を起点として十分に半径方向外向きに延びており、これによって、玉を確実にガイドすることができる。
【００２５】
確かに、相応に規定された中心角が６０゜を上回る値をとるように十分に半径方向内向きに引き込まれた縁部を備えた外輪はすでに公知である。しかし、このような外輪は、４０゜以上の呼び接触角を備えたアンギュラ玉軸受けに使用するために設けられている。主軸軸受けとしてではなく、低い回転数に対する軸受けとして使用されるこのような軸受けのためには、このような縁部が必要であり、これによって、大きな接触角に対して相応の軌道が形成される。これに対して、本発明における外輪は、３０°以下の呼び接触角を備えたアンギュラ玉軸受けの外輪である。
【００２６】
本発明の有利な態様は、従属請求項に記載してある。
【００２７】
１つの態様によれば、内輪が、軸受け軸線に対して垂直に延びる平面に対して鏡像対称的である２つの肩部を有している。内輪の両肩部は、少なくともその基本形状に関して対称的に形成されている。特に両肩部は互いに同じ高さを有している。すなわち、両肩部は、半径方向外側に向けられた終端面を有している。両終端面の、軸受け軸線に対する間隔は等しい大きさに設定されている。このような構造は、軸受けのシール時に両側に同様のシールディスクを使用することができるという利点を有している。
【００２８】
外輪、すなわち、保持器ガイド面の位置決めの本発明における構成によって、保持器の低質量の構造、更には、簡単な構造が可能となる。
【００２９】
１つの態様によれば、保持器が、２つの環状エレメントと、両環状エレメントを結合する複数の横方向ウェブとを有しており、これらの横方向ウェブが、半径方向内側でかつ／または半径方向外側で環状エレメントと同一平面を成して終わっている。両環状エレメントは軸受け軸線を中心として延びていて、互いに同心的に配置されている。有利には、環状エレメントは互いに等しい内径および外径を有している。特に環状エレメントの横断面は同一であってよい。公知先行技術によれば、少なくとも１つの環状エレメントが半径方向外向きで保持器ガイド面の方向に延長され、これによって、保持器の確実なかつ正確なガイドが保証されていたのに対して、本発明によれば、このような延長を省略することができる。むしろ、両環状エレメントがもはや、横方向ウェブの、半径方向で最大限に必要となる延在長さを越えて延びている必要はない。特に保持器は、玉を収容するための保持器ポケットを有する、長方形の横断面形状を備えた環形状を有することができる。有利には、保持器は、ピッチ円、すなわち、玉の中心点を通る円を起点として、両半径方向にほぼ同じサイズの延在長さを有している。
【００３０】
本発明における保持器の構成によって、重量削減のほかに、保持器の製造を簡単にすることも可能となる。別の態様によれば、保持器を、軸受け軸線に対して垂直に延びる平面に対して鏡像対称的に形成することができる。このような対称的な保持器形状によって、アンギュラ玉軸受けのより簡単な製造と、より簡単な組立てとが可能となり、その結果、保持器構成が、本発明によれば、主として、玉の離間の機能によってのみ設定されていることが得られる。
【００３１】
別の態様によれば、保持器が、軸受け軸線に対して同心的に延びる２つの環状エレメントと、両環状エレメントを結合する複数の横方向ウェブとを有しており、保持器が、一方の環状エレメントの、半径方向外側に向けられた表面を介して外輪の保持器ガイド面によってガイドされる。したがって、外輪の保持器ガイド面と保持器の表面との間に環状ギャップが形成される。有利には、保持器ガイド面だけでなく保持器の表面も軸受け軸線に沿って互いに平行に延びている。特に１つの態様によれば、保持器ガイド面が、軸受け軸線を中心として同心的に配置された円柱を形成している。相応して、保持器の、保持器ガイド面に向かい合って位置する表面が、同じく軸受け軸線を中心として同心的に配置された円柱を形成している。したがって、保持器ガイド面と保持器の表面との間に円筒状の環状ギャップが形成される。基本的には、当然ながら、面の種々異なる経過、たとえば円錐形の経過も可能である。
【００３２】
１つの態様によれば、中心角が、６０゜〜７０゜に設定されている。有利には、中心角が、６３゜〜６７゜に設定されている。保持器の横方向ウェブと環状エレメントとを半径方向で同一平面を成して終わらせたい場合には、この範囲において、保持器の半径方向の延在長さの減少による摩擦の減少と、保持器の十分な半径方向の延在長さによる玉の確実なかつ正確なガイドの維持との間の良好な妥協点を得ることができることが判った。
【００３３】
１つの態様によれば、呼び接触角が、１５゜〜２５゜に設定されている。有利には、呼び接触角が１５゜または２５゜に設定されている。これら両値は、主軸軸受けに対する典型的な値である。すなわち、安定化された内輪を使用することができる。
【００３４】
１つの態様によれば、断面図で見て、軌道が、保持器ガイド面との交点を有している。したがって、この態様によれば、外輪の縁部が、半径方向で軸受け軸線に向かって増加させられている。すなわち、縁部が、公知先行技術に基づき公知である縁部よりも高く形成されているものの、基本的には、従来と同じ基本形状を有している。軌道と保持器ガイド面との間の交点は丸み付けられてよい。しかし、択一的には、１つの態様によれば、断面図で見て、軌道と保持器ガイド面との間に段付け部もしくは段部が加工されていることも可能である。この態様によれば、軸受け軸線の方向への縁部の増加と同時の同じく軸受け軸線の方向への軌道の延長の代わりに、従来の縁部に対して、半径方向内側に向けられた突出部が形成される。保持器ガイド面は、突出部の、半径方向内側に向けられた表面に位置している。軌道は変更されないままであってよく、これによって、突出部と軌道との間に１つの段部が形成される。突出部もしくは段部の半径方向の延在長さは、保持器ガイド面の半径方向のずれ量を成している。突出部が、縁部もしくは外輪の一体のエレメントであるかまたは別個のエレメントによって形成されることが可能である。突出部が、縁部もしくは外輪の一体のエレメントである場合には、１つの態様によれば、外輪が、特に一体に、つまり、１つの部材によって形成されていてよい。突出部が、別個のエレメントによって形成される場合には、この別個のエレメントが、たとえば、外輪に挿入される方形の横断面形状を備えた環状エレメントから成っていてよい。別個のエレメントは、外輪と同じ材料から成っていてもよいし、外輪と異なる材料から成っていてもよい。有利には別個のエレメントの場合、既存の外輪を引き続き使用することができる可能性がある。
【００３５】
摩擦を本発明により減少させるために、アンギュラ玉軸受けの構成スペース（軸方向の構成スペースまたは半径方向の構成スペース）を増加させる必要はない。１つの態様によれば、内輪と外輪とが、軸方向への同じ量の延在長さを有している。この延在長さは、相応の標準アンギュラ玉軸受けの値に対応している。
【００３６】
１つの態様によれば、アンギュラ玉軸受けが、軸方向の一方の端部または両方の端部でシールされている。それぞれアンギュラ玉軸受けの軸方向の端部で内輪と外輪との間に１つのシールディスクを使用することができる。
【００３７】
本発明に係るアンギュラ玉軸受けは、特にたとえば工作機械の主軸軸受けとして使用するために適している。しかし、当然ながら、特に高い速度に対する転がり軸受けとしての別の使用態様も可能である。
【図面の簡単な説明】
【００３８】
【図１】公知先行技術に係るアンギュラ玉軸受けを示す図である。
【図２】本発明に係るアンギュラ玉軸受けの第１の実施の形態を示す図である。
【図３】本発明に係るアンギュラ玉軸受けの第２の実施の形態を示す図である。
【図４】本発明に係るアンギュラ玉軸受けを有する工作機械を示す図である。
【００３９】
図面の詳細な説明
本発明の実施の形態を以下に添付の図面につき詳しく説明する。
【００４０】
図面に示した同じ構成エレメントまたは機能が同じ構成エレメントには、同じ符号が付してある。
【００４１】
図１には、冒頭で説明したような公知先行技術に係るアンギュラ玉軸受け１が、軸受け軸線７を含む断面図で示してある。図１には、上側半分が示してある。荷重が加えられていない軸受けに対する作用線１２が記入してある。この作用線１２は、軸受け軸線７に対して垂直に延びる平面１３、つまり、ラジアル平面と共に呼び接触角αを成している。この呼び接触角αは、公知の例では、２５゜に設定されている。
【００４２】
外輪軌道５は、軸受け軸線７から半径方向で最も離れた点Ａを有している。この点Ａを起点として、外輪軌道５に沿って、この外輪軌道５の、保持器ガイド面９寄りの端部の方向へ、外輪軌道５と、保持器ガイド面９によって設定された直線１７との交点Ｂにまで、円弧が得られる。この円弧の中心角βは、公知の例では、約５０゜に設定されている。すなわち、呼び接触角αが、中心角βの約半分の大きさに設定されている。
【００４３】
図１に示したアンギュラ玉軸受け１の保持器１０は２つの環状エレメント１４，１５を有している。両環状エレメント１４，１５は全周にわたって延びていて、軸方向に延びる、セパレータとも呼ばれる複数の横方向ウェブ１６によって結合されている。これらの横方向ウェブ１６は、玉６を接触させるための案内面を有している。玉６は金属またはセラミックスから成っていてよい。玉６を最適に案内するためには、案内面が、アンギュラ玉軸受け１の玉中心点を通るピッチ円の半径方向外側にも半径方向内側にも延びていることが必要となる。
【００４４】
外輪４の縁部８による保持器１０のガイドを可能にするためには、この保持器１０が半径方向外向きに相応に十分に延びている。特に保持器１０はピッチ円を基準として半径方向内向きよりも著しく十分に半径方向外向きに延びている。
【００４５】
図２には、本発明に係るアンギュラ玉軸受け１の第１の実施の形態が示してある。図１に示した公知先行技術に係るアンギュラ玉軸受け１と異なり、図２では、外輪４の縁部８が著しく半径方向内向きに、すなわち、半径方向で軸受け軸線７に向かって延長されている。同じ量だけ、保持器１０の半径方向の延在長さを短縮することができる。保持器ガイド面９と表面１１との間には、環状ギャップ１８が位置している。
【００４６】
外輪４の、軸方向で縁部８と反対の側には、外輪４が、軸受け軸線７の方向への半径方向の僅かな唯一の突出部を有しており、これによって、玉６の脱落が阻止される。しかし、この側には、保持器ガイド面９は位置していない。すなわち、保持器１０はただ１つの保持器ガイド面９によってのみガイドされる。
【００４７】
縁部８全体が軸受け軸線７に向かって増加させられていることによって、保持器ガイド面９が軸受け軸線７の方向にずらされている。特に外輪軌道５も相応して増加させられている。
【００４８】
中心角βは６８°に設定されている。呼び接触角αは変更されていない。すなわち、呼び接触角αは引き続き２５°に設定されている。縁部８と保持器１０との新規の構造によって、減少させられた摩擦に基づき、より少ない発熱が達成されることを除いて、対応する軌道３，５に対する玉６の転動特性は変化させられない。
【００４９】
保持器１０の半径方向の延在長さは最小値に制限することができる。軸受け軸線７を含む断面図において、保持器１０は長方形の横断面を有している。両環状エレメント１４，１５の各々も同じく長方形の横断面を有していて、半径方向で横方向ウェブ１６と同一平面を成して終わっている。ラジアル平面１３に対して、保持器１０は鏡像対称的である。
【００５０】
外輪４と内輪２とは、軸方向の同じ延在長さを有していて、軸方向で同一平面を成して終わっている。特にアンギュラ玉軸受け１の外寸は、比較される標準軸受けの外寸に対応している。
【００５１】
内輪２は２つの縁部１８，１９を有している。両縁部１８，１９は同じ量だけ半径方向外向きに延びている。特に両縁部１８，１９はラジアル平面１３に対して鏡像対称的である。縁部１８，１９のいずれも保持器ガイド面を有していない。むしろ、保持器１０と縁部１８，１９との間には、環状ギャップ１８に比べて著しく大きな環状ギャップ２０が形成されている。この環状ギャップ２０によって、運転の間の潤滑剤の供給が可能となる。
【００５２】
アンギュラ玉軸受け１は２つのシールディスクによってシールされてもよい。
【００５３】
図３には、本発明に係るアンギュラ玉軸受け１の第２の実施の形態が示してある。図２に示した実施の形態と異なり、図３によれば、縁部８が突出部２１を有していることによって、保持器ガイド面９が半径方向内向きにずらされている。突出部２１は、半径方向内側に向けられた縁部表面２２から半径方向内向きに延びていて、保持器ガイド面９を有している。外輪軌道５は変更されないままである。第２の実施の形態では、突出部２１が縁部８と一体に形成されている。当然ながら、縁部表面２２に対して外輪４に嵌め込まれる別個のリングも可能である。本発明により規定された中心角βは、第１の実施の形態と同様に６８°に設定されている。
【００５４】
図４には、工作機械の駆動装置２３が示してある。この駆動装置２３は、本発明に係る２つのアンギュラ玉軸受け１を有している。両アンギュラ玉軸受け１は主軸軸受けとして形成されていて、背面組合せで使用されていて、固定側軸受けとして働く。
【符号の説明】
【００５５】
１  アンギュラ玉軸受け
２  内輪
３  内輪軌道
４  外輪
５  外輪軌道
６  玉
７  軸受け軸線
８  縁部
９  保持器ガイド面
１０  保持器
１１  表面
１２  作用線
１３  平面
１４  環状エレメント
１５  環状エレメント
１６  横方向ウェブ
１７  直線
１８  縁部
１９  縁部
２０  環状ギャップ
２１  突出部
２２  縁部表面
２３  工作機械の駆動装置
【図１】
2013508633.tif 000003
【図２】
2013508633.tif 000004
【図３】
2013508633.tif 000005
【図４】
2013508633.tif 000006
【国際調査報告】
2013508633.tif 000007
2013508633.tif 000008
2013508633.tif 000009
2013508633.tif 000010